【手続補正書】
【提出日】令和2年4月7日(2020.4.7)
【手続補正１】
【補正対象書類名】特許請求の範囲
【補正対象項目名】全文
【補正方法】変更
【補正の内容】
【特許請求の範囲】
【請求項１】
炭化水素貯留層の中の無線地下センサネットワーク（ＷＵＳＮ）内の、前記炭化水素貯留層内のそれぞれのセンサ位置に配設された複数のセンサの各々によって、前記複数のセンサと、前記炭化水素貯留層内のダイポールアンテナ上のそれぞれの既知のアンカ装置位置に配設された少なくとも２つのアンカ装置と、を互いにつなぐ磁気誘導（ＭＩ）ネットワークを形成する複数のそれぞれのＭＩリンク上の対応する受信された磁界強度（ＲＭＦＳ）を測定するステップと；
磁気誘導に基づく前記複数のセンサの各々により、前記対応するＲＭＦＳを、前記ＭＩネットワークを介して少なくとも１つのアンカ装置へ送信するステップと；
前記受信されたＲＭＦＳから、前記ＷＵＳＮ内の前記複数のセンサの前記それぞれのセンサ位置と前記少なくとも２つのアンカ装置の前記それぞれのアンカ装置位置との間の距離の推定値を表す距離群を決定するステップと；
前記決定された距離群と前記少なくとも２つのアンカ装置の前記既知の位置とに対して一連のアルゴリズムを適用することによって、ＭＩに基づく位置特定フレームワークを確立するステップであって、前記一連のアルゴリズムを適用することは、前記決定された距離群と前記少なくとも２つのアンカ装置の前記既知の位置とに対して、最初に加重最尤推定法（ＷＭＬＥ）を適用するステップと、次に半確定値計画（ＳＤＰ）緩和を適用するステップとを有する、ＭＩに基づく位置特定フレームワークを確立するステップと；
前記ＭＩに基づく位置特定フレームワークを確立した後、前記炭化水素貯留層内の前記それぞれのセンサ位置の第１の推定位置を表す、第１のセンサ位置群を決定するステップと；
前記第１のセンサ位置群を決定した後、前記決定された第１のセンサ位置群に基づいて、前記炭化水素貯留層内の前記それぞれのセンサ位置の第２の推定位置を表す、第２のセンサ位置群を決定するステップと；を備える、
方法。
【請求項２】
前記第１のセンサ位置群を決定するステップは、前記確立したＭＩに基づく位置特定フレームワークに対して、交互方向拡張ラグランジュ法（ＡＤＭ）を適用するステップを備える、
請求項１に記載の方法。
【請求項３】
前記第２のセンサ位置群を決定するステップは、前記決定された第１のセンサ位置群に対して共役勾配アルゴリズム（ＣＧＡ）を適用するステップを備える、
請求項２に記載の方法。
【請求項４】
前記第１の推定位置は粗い推定であり、前記第２の推定位置は精細な推定である、
請求項１に記載の方法。
【請求項５】
前記決定された第２のセンサ位置群は、前記決定された第１のセンサ位置群よりも正確である、
請求項１に記載の方法。
【請求項６】
前記ダイポールアンテナは、前記炭化水素貯留層上の掘削井の内部に配設されている、
請求項１に記載の方法。
【請求項７】
一方のアンカ装置は前記炭化水素貯留層内の前記ダイポールアンテナの上部に配置されており、他方のアンカ装置は前記炭化水素貯留層内の前記ダイポールアンテナの底部に配置されている、
請求項６に記載の方法。
【請求項８】
前記受信されたＲＭＦＳから距離群を決定するステップは、ＭＩに基づく通信チャネルモデルに基づく、
請求項１に記載の方法。
【請求項９】
コンピュータに実装された方法であって：
炭化水素貯留層の中の無線地下センサネットワーク（ＷＵＳＮ）内の、前記炭化水素貯留層内のそれぞれのセンサ位置に配設された複数のセンサの前記それぞれのセンサ位置と、前記炭化水素貯留層内のダイポールアンテナ上のそれぞれの既知のアンカ装置位置に配設された少なくとも２つのアンカ装置の前記それぞれのアンカ装置位置と、の間の距離群を１つ以上のハードウェアプロセッサによって決定するステップと；
前記決定された距離群と前記少なくとも２つのアンカ装置の前記既知の位置とに対して一連のアルゴリズムを適用することによって、ＭＩに基づく位置特定フレームワークを１つ以上のハードウェアプロセッサによって確立するステップであって、前記一連のアルゴリズムを適用することは、前記決定された距離群と前記少なくとも２つのアンカ装置の前記既知の位置とに対して、最初に加重最尤推定法（ＷＭＬＥ）を適用するステップと、次に半確定値計画（ＳＤＰ）緩和を適用するステップとを有する、ＭＩに基づく位置特定フレームワークを確立するステップと；
前記ＭＩに基づく位置特定フレームワークを確立した後、前記炭化水素貯留層内の前記それぞれのセンサ位置の第１の推定位置を表す、第１のセンサ位置群を１つ以上のハードウェアプロセッサによって決定するステップと；
前記第１のセンサ位置群を決定した後、前記決定された第１のセンサ位置群に基づいて、前記炭化水素貯留層内の前記それぞれのセンサ位置の第２の推定位置を表す、第２のセンサ位置群を１つ以上のハードウェアプロセッサによって決定するステップと；
少なくとも前記決定された第２のセンサ位置群に基づいて炭化水素貯留層の破砕部マップを１つ以上のハードウェアプロセッサによって生成するステップと；を備える、
方法。
【請求項１０】
前記第１のセンサ位置群を決定するステップは、前記確立したＭＩに基づく位置特定フレームワークに対して、交互方向拡張ラグランジュ法（ＡＤＭ）を適用するステップを備える、
請求項９に記載の方法。
【請求項１１】
前記第２のセンサ位置群を決定するステップは、前記決定された第１のセンサ位置群に対して共役勾配アルゴリズム（ＣＧＡ）を適用するステップを備える、
請求項１０に記載の方法。
【請求項１２】
前記第１の推定位置は粗い推定であり、前記第２の推定位置は精細な推定である、
請求項９に記載の方法。
【請求項１３】
前記決定された第２のセンサ位置群は、前記決定された第１のセンサ位置群よりも正確である、
請求項９に記載の方法。
【請求項１４】
前記ダイポールアンテナは、前記炭化水素貯留層上の掘削井の内部に配設されている、
請求項９に記載の方法。
【請求項１５】
一方のアンカ装置は前記炭化水素貯留層内の前記ダイポールアンテナの上部に配置されており、他方のアンカ装置は前記炭化水素貯留層内の前記ダイポールアンテナの底部に配置されている、
請求項１４に記載の方法。
【請求項１６】
前記決定された距離群は、磁気誘導（ＭＩ）通信チャネルモデルに基づいている、
請求項９に記載の方法。
【請求項１７】
一時的でないコンピュータ読み取り可能媒体であって：
炭化水素貯留層の中の無線地下センサネットワーク（ＷＵＳＮ）内の、前記炭化水素貯留層内のそれぞれのセンサ位置に配設された複数のセンサの前記それぞれのセンサ位置と、前記炭化水素貯留層内のダイポールアンテナ上のそれぞれの既知のアンカ装置位置に配設された少なくとも２つのアンカ装置の前記それぞれのアンカ装置位置と、の間の距離群を決定するステップと；
前記決定された距離群と前記少なくとも２つのアンカ装置の前記既知の位置とに対して一連のアルゴリズムを適用することによって、ＭＩに基づく位置特定フレームワークを確立するステップであって、前記一連のアルゴリズムを適用することは、前記決定された距離群と前記少なくとも２つのアンカ装置の前記既知の位置とに対して、最初に加重最尤推定法（ＷＭＬＥ）を適用するステップと、次に半確定値計画（ＳＤＰ）緩和を適用するステップとを有する、ＭＩに基づく位置特定フレームワークを確立するステップと；
前記ＭＩに基づく位置特定フレームワークを確立した後、前記炭化水素貯留層内の前記それぞれのセンサ位置の第１の推定位置を表す、第１のセンサ位置群を決定するステップと；
前記第１のセンサ位置群を決定した後、前記決定された第１のセンサ位置群に基づいて、前記炭化水素貯留層内の前記それぞれのセンサ位置の第２の推定位置を表す、第２のセンサ位置群を決定するステップと；
少なくとも前記決定された第２のセンサ一群に基づいて炭化水素貯留層の破砕部マップを生成するステップと；を備える、
コンピュータ読み取り可能媒体。
【請求項１８】
前記第１のセンサ位置群を決定するステップは、前記確立したＭＩに基づく位置特定フレームワークに対して、交互方向拡張ラグランジュ法（ＡＤＭ）を適用するステップを備える、
請求項１７に記載のコンピュータ読み取り可能媒体。
【請求項１９】
前記第２のセンサ位置群を決定するステップは、前記決定された第１のセンサ位置群に対して共役勾配アルゴリズム（ＣＧＡ）を適用するステップを備える、
請求項１８に記載のコンピュータ読み取り可能媒体。
【請求項２０】
炭化水素貯留層の中の無線地下センサネットワーク（ＷＵＳＮ）内のそれぞれのセンサ位置に配設された複数のセンサであって、
前記複数のセンサの各々によって、前記複数のセンサと少なくとも２つのアンカ装置とを互いにつなぐ磁気誘導（ＭＩ）ネットワークを形成する複数のそれぞれのＭＩリンク上の対応する受信された磁界強度（ＲＭＦＳ）を測定し、
磁気誘導に基づく前記複数のセンサの各々により、前記対応するＲＭＦＳを、前記ＭＩネットワークを介して少なくとも１つのアンカ装置へ送信するように構成された、複数のセンサと；
前記炭化水素貯留層内のダイポールアンテナ上のそれぞれの既知のアンカ装置位置に配設された前記少なくとも２つのアンカ装置であって、前記ＭＩネットワークを介して前記複数のセンサから前記対応するＲＭＦＳを受信するように構成された、少なくとも２つのアンカ装置と；
データ処理装置であって、
前記炭化水素貯留層の中の前記ＷＵＳＮ内の、前記複数のセンサの前記それぞれのセンサ位置と、前記少なくとも２つのアンカ装置の前記それぞれのアンカ装置位置と、の間の距離群を決定し、
前記決定された距離群と前記少なくとも２つのアンカ装置の前記既知の位置とに対して、最初に加重最尤推定法（ＷＭＬＥ）を適用して次に半確定値計画（ＳＤＰ）緩和を適用する一連のアルゴリズムを適用することによって、ＭＩに基づく位置特定フレームワークを確立し、
前記ＭＩに基づく位置特定フレームワークを確立した後、前記炭化水素貯留層内の前記それぞれのセンサ位置の第１の推定位置を表す、第１のセンサ位置群を決定し、
前記第１のセンサ位置群を決定した後、前記決定された第１のセンサ位置群に基づいて、前記炭化水素貯留層内の前記それぞれのセンサ位置の第２の推定位置を表す、第２のセンサ位置群を決定するように構成された、データ処理装置と；を備える、
システム。
【請求項２１】
前記第１のセンサ位置群を決定するステップは、前記確立したＭＩに基づく位置特定フレームワークに対して、交互方向拡張ラグランジュ法（ＡＤＭ）を適用するステップを備える、
請求項２０に記載のシステム。
【請求項２２】
前記第２のセンサ位置群を決定するステップは、前記決定された第１のセンサ位置群に対して共役勾配アルゴリズム（ＣＧＡ）を適用するステップを備える、
請求項２１に記載のシステム。